(57)【要約】【課題】組立性が向上し、組立てる際に機器本体の外観に傷がつくことがなく、さらに、小型軽量及びグリップのホールド感の向上を実現させるグリップ部の構造を、低コストで実現すること。【解決手段】グリップ部が一体的に保持される外装カバーを備える電子機器であって、前記グリップ部は前記電子機器に設けられたマウント部から電子機器の側面（光軸方向に略平行な面）まで連続した形状となっており、前記グリップ部の外周は前記外装カバーで囲まれており、前記グリップ部は成形収縮率の異なる２つの材料が一体成形された２色成形部品であり、前記グリップ部の電子機器の側面に付勢用凸部が設けられており、前記外装カバーの前記グリップ部の外周が囲まれた領域の内観側に付勢用凹部が設けられており、前記付勢用凸部は前記グリップ部を前記電子機器に組立てる際の組立方向（光軸方向）と略並行に延伸するように形成され、前記付勢用凹部に挿通されていることを特徴とする。【選択図】図２
2018180312.tif 000002
【特許請求の範囲】
【請求項１】
グリップ部が一体的に保持される外装カバーを備える電子機器であって、
前記グリップ部は前記電子機器に設けられたマウント部から電子機器の側面まで連続した形状となっており、
前記グリップ部の外周は前記外装カバーで覆われており、
前記グリップ部は成形収縮率の異なる２つの材料が１体成形された２色成形部品であり、
前記グリップ部の前記電子機器の側面に付勢用凸部が設けられており、
前記外装カバーの前記グリップ部の外周が覆われた領域の内観側に付勢用凹部が設けられており、
前記付勢用凸部は前記グリップ部を前記電子機器に組立てる際の組立方向と並行に延伸するように形成され、前記付勢用凹部に挿通されていることを特徴とする電子機器。
【請求項２】
前記グリップ部は弾性部材と樹脂部材の２色成形で構成されていることを特徴とする請求項１に記載の電子機器。
【請求項３】
前記グリップ部と前記外装カバーの締結部は、前記電子機器の内観側から光軸方向に向かって設けられていることを特徴とする請求項１又は請求項２に記載の電子機器。
【請求項４】
前記付勢用凸部は前記グリップ部の樹脂部材で形成されていることを特徴とする請求項１及至請求項３の何れか一項に記載の電子機器。
【請求項５】
前記付勢用凸部は複数個所設けられていることを特徴とする請求項１及至４の何れか一項に記載の電子機器。
【請求項６】
前記付勢用凸部は前記外装カバーに挿通された後、前記付勢用凸部の先端部に設けられたビス穴によって本体シャーシに固定されることを特徴とする請求項１及至請求項５の何れか一項に記載の電子機器。
【請求項７】
前記グリップ部は膨らみをもった形状をしており、膨らみをもった形状の内側にストロボ発光用のコンデンサが配設されていることを特徴とする請求項１及至請求項６の何れか一項に記載の電子機器。
【請求項８】
前記外装カバーは前記コンデンサを逃げるための逃げ穴を設けていることを特徴とする請求項７に記載の電子機器。
【請求項９】
前記グリップ部は複数の補強リブを設けており、隣接する前記コンデンサの外形形状に沿ったアーチ型に形成されていることを特徴とする請求項１及至請求項６の何れか一項に記載の電子機器。
【発明の詳細な説明】
【技術分野】
【０００１】
本発明は、例えばデジタル一眼レフカメラ等の撮像装置を含む電子機器に関し、特に電子機器に設けられるグリップ部の構成に関する。
【背景技術】
【０００２】
デジタル一眼レフカメラなどのグリップ部は、撮影者がカメラをホールドした際のホールド感を向上させるために、従来からゴムなどの弾性ラバーを外装筺体に両面テープで貼り付ける構成を採用している。また、撮影者が大型の望遠レンズを取り付けた状態でもカメラをしっかりホールドできるように外装筺体のグリップ部には高い剛性が求められている。このため、外装筺体のグリップ部をカメラの骨格となる本体シャーシに対して外側からビスで締結し、弾性ラバー（弾性部材）を両面テープで貼りつける構成としている。
【０００３】
しかしながら、弾性ラバーは撮影者の手に触れる機会が多いため、撮影者の手の皮脂やハンドクリーム等による経年劣化が発生しやすく、その結果、弾性ラバーの変形や剥がれ等の問題が発生することがある。
【０００４】
これに対して、例えば図８に示す撮像装置２００によると、弾性部材と樹脂部材の２色成形とすることで、弾性部材の変形や剥がれを抑制することができるグリップ構成が提案されている（第一の従来例）。図８において、３０１は交換レンズを取り付けるためのマウント部、２０１はマウント部近傍から撮像装置２００側面まで連続的に形成されたグリップ部を示している。
【０００５】
図９の（Ａ）は図８の状態のＺ−Ｚ線断面図であり、図９の（Ｂ）は背面側カバーユニットを本体シャーシに組立てる途中の状態を示したＺ−Ｚ線断面図である。図９の（Ａ）において、グリップ部２０１は２色成形で形成されており、２０３は１次側となる樹脂部材、２０４は２次側となる弾性部材を示している。なお、グリップ部２０１は撮像装置の正面側カバー２０２に対して撮像装置の内観側から複数のビス３０２によって締結されている。
【０００６】
また第二の従来例として、小型化に伴う強度確保の観点から、グリップ部を金属製の部材と２色成形の部材の２つに分割し、お互いの部材が交差する箇所に係止部を設けて連結されたグリップ構成が提案されている（特許文献１）。
【先行技術文献】
【特許文献】
【０００７】
【特許文献１】特開２００６−４７８５７号公報
【発明の概要】
【発明が解決しようとする課題】
【０００８】
しかしながら、上記第一の従来例では、図９の（Ａ）に示すように、１次側は樹脂部材２０３、２次側は弾性部材２０４で形成されており、成形後の収縮率は２次側の弾性部材２０４の方が１次側の樹脂部材２０３より大きい状況となっている。その結果、図９の（Ｂ）に示すように、グリップ部２０１は図に示す矢印Ｘの方向に変形する傾向がある。なお、グリップ部２０１と正面側カバー２０２は複数のビス３０２によって締結されているが、正面側カバー２０２およびグリップ部２０１の型構成の簡略化のため、締結部は紙面上下方向にのみ設けられている。
【０００９】
このため、グリップ部２０１が正面側カバー２０２に固定された正面側カバーユニット３０３の状態においても、前記グリップ部２０１の矢印Ｘ方向の変形は強制されずに残った状態となる。この状態で図９の（Ｂ）に示すように、正面側カバーユニット３０３が本体シャーシ２０６に組立てられた後、後ろカバーユニット３０４が図の矢印Ｙで示す紙面下から上に向かって組立てられる。その際、グリップ部２０１の先端部２０３（ａ）の図に示す矢印Ｘの変形が残っているため、後ろカバー２０５の先端部２０５（ａ）とぶつかって組立づらい、または機器本体の外観に傷がつくという問題が発生する。
【００１０】
さらに、図９の（Ａ）に示すように、グリップ部２０１の全域において、正面側カバー２０２、グリップ部２０１の１次側の樹脂部材２０３および２次側の弾性部材２０４がオーバーラップした３層構成となっている。このため、厚み方向にスペースを確保する必要があり、グリップ部の小型化がしづらい、或いは、重量が増加するといった課題がある。
【００１１】
一方、上記第二の従来例では、グリップ部の一部に金属性の部材を設けているため、重量が増加する或いは製造コストが上がるといった課題がある。また、グリップ部は金属性の部材と２色成形の部材との間に連結部を設けているが、２体化故に剛性感を向上させることは難しい。さらに、連結部を設けているため、撮影者がグリップ部をしっかり握った状態において、連結部が擦れることで不必要な軋み音が発生し、その結果、撮影者が撮影に集中できなくなる問題が発生することが考えられる。
【００１２】
そこで本発明は、組立性が向上し、組立てる際に機器本体の外観に傷がつくことがなく、さらに、小型軽量及びグリップのホールド感の向上を実現させるグリップ部の構造を、低コストで実現する電子機器を提供することを目的とする。
【課題を解決するための手段】
【００１３】
上記の目的を達成するために、本発明に係る電子機器は、
グリップ部が一体的に保持される外装カバーを備える電子機器であって、前記グリップ部は前記電子機器に設けられたマウント部から電子機器の側面まで連続した形状となっており、前記グリップ部の外周は前記外装カバーで覆われており、前記グリップ部は成形収縮率の異なる２つの材料が１体成形された２色成形部品であり、前記グリップ部の前記電子機器の側面に付勢用凸部が設けられており、前記外装カバーの前記グリップ部の外周が覆われた領域の内観側に付勢用凹部が設けられており、前記付勢用凸部は前記グリップ部を前記電子機器に組立てる際の組立方向と略並行に延伸するように形成され、前記付勢用凹部に挿通されていることを特徴とする。
【発明の効果】
【００１４】
本発明によれば、組立性が向上し、組立てる際に機器本体の外観に傷がつくことがなく、さらに、小型化及びグリップのホールド感の向上を実現させるグリップ部の構造を、低コストで実現する電子機器を提供することができる。
【図面の簡単な説明】
【００１５】
【図１】本発明の電子機器の実施形態の一例であるデジタル一眼レフカメラを正面側（被写体側）から見た斜視図
【図２】図１に示すカメラ本体の正面側カバーとグリップ部を分解した分解斜視図
【図３】図２の矢印Ｂ方向から見た断面図
【図４】図２に示す正面側カバーを正面側から見た斜視図
【図５】（Ａ）はグリップ部をグリップ側面から見た斜視図、（Ｂ）はグリップ部をカメラ本体の内観側から見た斜視図、（Ｃ）はグリップ部をマウント部側から見た斜視図
【図６】正面側カバーユニットをグリップ部の側面側から見た側面図
【図７】（Ａ）は図６に示す第２の付勢用凸部に対するＥ−Ｅ線断面図、（Ｂ）は図６に示す第３の付勢用凸部に対するＤ−Ｄ線断面図、（Ｃ）は図６に示す第１の付勢用凸部に対するＣ−Ｃ線断面図
【図８】従来の撮像装置の一例を示した斜視図
【図９】（Ａ）は図８に示す従来の撮像装置のグリップ部に対するＺ−Ｚ断面図、（Ｂ）は図８に示す従来の撮像装置のＺ−Ｚ断面図
【発明を実施するための形態】
【００１６】
以下、図面を参照して、本発明の実施形態の一例を説明する。
【００１７】
図１は本発明の電子機器の実施形態の一例であるデジタル一眼レフカメラを正面側（被写体側）から見た斜視図である。なお、本実施形態では、電子機器として、撮像装置の一例であるデジタル一眼レフカメラを例示するが、これに限定されない。
【００１８】
本実施形態のデジタル一眼レフカメラは、図１に示すように、それぞれ樹脂等で形成された正面側カバー１０１、上面側カバー１０２及び背面側カバー１０３によりカメラ本体１００の外装を構成している。
【００１９】
カメラ本体１００は、本発明の電子機器本体の一例に相当し、正面側カバー１０１は、本発明の外装カバーの一例に相当する。カメラ本体１００の正面側には、不図示のレンズユニットを着脱可能にするためのマウント部１８０が設けられている。カメラ本体１００の正面側から見て、マウント部１８０の左側には、撮影者が把持するグリップ部１０４が設けられており、マウント部１８０近傍からカメラ本体１００の正面側から見て左側面（光軸方向に略平行な面）まで連続した形状で形成されている。なお、グリップ部１０４は成形収縮率の異なる２つの材料が一体成形された２色成形で形成されており、撮影者が把持する表面側（２次側）に弾性部材を配置し、撮影者が触れない内観側（１次側）に樹脂部材を配置している。これによって、撮影者が得られるホールド感とグリップの剛性感の両方を達成することが可能となっている。なお、本実施例における弾性部材の材質は樹脂部材と密着性がよい、例えばエラストマで形成されている。
【００２０】
グリップ部１０４の外周は、前記３つの外装カバー（１０１，１０２，１０３）で囲まれるように形成されており、特にカメラ本体１００の正面側から見て下側および左側は正面側カバー１０１で形成されている。カメラ本体１００の正面側から見て左側面には、画像や音声等を送受信するための不図示の外部インターフェース端子を覆うための端子キャップ１０５がグリップ部１０４に隣接するように設けられている。なお本実施例における端子キャップ１０５は開閉可能な構成とするために、例えばエラストマ等の弾性部材で形成されている。なお前述したように、グリップ部１０４の外周は正面側カバー１０１で囲まれるように形成されていることで、端子キャップ１０５の開閉操作を行う際、グリップ部の表面側に形成された弾性部材と擦れて開閉操作に支障が発生しにくい構成となっている。１０６は背面側カバー１０３と正面側カバー１０１を不図示の本体シャーシに締結するための外装ビスである。
【００２１】
図２は図１に示すカメラ本体１００の正面側カバー１０１とグリップ部１０４を分解した分解斜視図である。
【００２２】
グリップ部１０４は後述する２か所の位置決めダボ１５５、複数のビス座１２１を備えており、正面側カバー１０１に設けられた位置決め穴１２０と位置決めされ、複数のビス１２２によって締結されている。なお、複数のビス１２２は、外観に露出してデザイン性が損なわれないよう、カメラ本体１００の内観側より締結されている。締結部はいずれも正面側カバー１０１およびグリップ部１０４の型構成を簡略化するために光軸方向に設けられており、型強度に配慮して、マウント部１８０の近傍平坦部およびグリップ部１０４の膨らみ部に複数個所設けられている。以降、正面側カバー１０１とグリップ部１０４が締結された状態を正面側カバーユニット１２３と称す。
【００２３】
カメラ本体１００の筐体部として本体シャーシ１２４を設けており、カメラ本体１００の正面側から見て左側にストロボを発光させるためのストロボ回路基板１２５及びストロボを発光させるためのエネルギーを蓄えるコンデンサ１２６を備えている。なお、ストロボ回路基板１２５には高電圧素子１２８が実装されている。また、コンデンサ１２６はグリップ部１０４の膨らみ部の中に収納されているため、デザイン性を損なわずに撮影者のホールド感の向上とカメラ本体１００の小型化が両立できている。なお、正面側カバー１０１は逃げ穴１２７が設けられている。
【００２４】
これについて図３を用いて説明する。図３は図２の矢印Ｂ方向から見た断面図である。
【００２５】
図３において、前述したように、グリップ部１０４は２色成形で形成されており、１３１は１次側の樹脂部材、１３２は２次側の弾性部材を示している。図の矢印Ｐｔ．Ｑで示す領域においては、正面側カバー１０１、グリップ部１０４の１次側の樹脂部材１３１および２次側の弾性部材１３２がオーバーラップした３層構成となっている。図の矢印Ｐｔ．Ｐで示す領域においては、コンデンサ１２６近傍のグリップ部１０４の外観面を小型化するために、グリップ部１０４の１次側の樹脂部材１３１および２次側の弾性部材１３２の２層構成となっている。こうすることで正面側カバー１０１の軽量化とグリップ部１０４の小型化が両立できている。
【００２６】
また、本実施例における正面側カバー１０１およびグリップ部１０４の１次側の樹脂はどちらも絶縁体である非導電樹脂で形成されている。しかし、カメラ本体１００の電気システムによる影響や外装カバー（１０１，１０２，１０３）の電磁遮蔽性能によってはグリップ部１０４の１次側の樹脂を導電性樹脂で形成する必要性が生じることが考えられる。この場合、ストロボ回路基板１２５に実装された高電圧素子１２８とグリップ部１０４の電気的ショートを避けるために、ある一定の沿面距離を確保する必要がある。
【００２７】
これに対して本実施例では、正面側カバー１０１の逃げ穴１２７の形状を工夫することで、高電圧素子１２８とグリップ部１０４の間に非導電樹脂である正面側カバー１０１に「ついたて」の役割を持った形状を形成することが可能である。
【００２８】
図４は図２に示す正面側カバー１０１を正面側から見た斜視図である。図５の（Ａ）はグリップ部１０４をグリップ側面から見た斜視図、図５の（Ｂ）はグリップ部１０４をカメラ本体１００の内観側から見た斜視図、図５の（Ｃ）はグリップ部１０４をマウント部１８０側から見た斜視図である。
【００２９】
図４において、前述したように、グリップ部１０４の外周は正面側カバー１０１で囲まれるように形成されている。正面側カバー１０１のカメラ本体１００の側面部かつ、グリップ部１０４の外周部には第１の付勢用凹部１４０、第２の付勢用凹部１４１、第３の付勢用凹部１４２が設けられている。
【００３０】
図５の（Ａ）に示すグリップ部１０４の側面部かつ、外周部には第１の付勢用凸部１５０、第２の付勢用凸部１５１、第３の付勢用凸部１５２が設けられている。なお、正面側カバーユニット１２３の状態になると、第１の付勢用凸部１５０、第２の付勢用凸部１５１、第３の付勢用凸部１５２がそれぞれ第１の付勢用凹部１４０、第２の付勢用凹部１４１、第３の付勢用凹部１４２に挿入され係止される。図５の（Ｂ）に示すように、グリップ部１０４の内観側には複数の補強リブ１５６が設けられており、隣接する不図示のコンデンサ１２６を設置するためのスペースに影響を及ばさないようアーチ状に形成されている。
【００３１】
前述した通り、本実施例における正面側カバー１０１には軽量化と小型化のために一部逃げ穴１２７が設けられているため、正面側カバー１０１の剛性の低下が懸念される。これに対してグリップ部１０４に複数の補強リブ１５６を設けることでグリップ部１０４の剛性を向上させている。さらに、正面側カバー１０１とグリップ部１０４の締結部を、正面側カバー１０１に設けられた逃げ穴１２７を囲むように複数個所設けている。こうすることで、正面側カバーユニット１２３の状態においては従来と同等の剛性が確保できる構成としている。また、撮影者がカメラ本体１００を把持した際に、正面側カバー１０１が撓んでグリップ部１０４と擦れて不用意な軋み音が発生することを防いでいる。
【００３２】
図５の（Ｃ）に示すように、グリップ部１０４は３つの領域に分類されている。
領域Ｏはグリップ部１０４の印象がカメラ本体１００に与える影響が強い領域、領域Ｐは撮影者の握りやすさを左右する領域、領域Ｑは撮影者の爪によってキズの発生が懸念される領域としている。なお、グリップ部１０４に設けられた２次側の弾性部材１３２の表面側には一般的に、デザイン意匠性を表現したり、撮影者のグリップ部１０４の握りやすさ、グリップ部１０４のキズや汚れを目立たなくする目的として、凹凸模様であるシボ加工が施されている。シボ加工の模様を表現するパラメータの一つとして、凹凸の深さが挙げられる。
【００３３】
なお、一般的に凹凸の深さを深くするほど握りやすさが向上し、キズや汚れに対して目立ちにくくなる傾向があるが、カメラ本体１００としてはゴツゴツとした印象が与えられることで、軽快感のある意匠性が損なわれる懸念がある。
【００３４】
そこで本実施例では、撮影者の特に爪が当たってキズが目立ちやすい領域Ｑの凹凸の深さを深めにし、グリップ部１０４の印象がカメラ本体１００に与える影響が強い領域Ｏの凹凸の深さを浅目にしている。
【００３５】
そして、その間をつなぐ領域Ｐは領域Ｏと領域Ｑの凹凸の深さを滑らかにつなぐ形状としている。なお、本来であれば領域Ｐは撮影者の握りやすさを左右する領域のため、凹凸の深さは深くするほうが望ましいが、深くしすぎると型構造が複雑になってしまうため、型構造が複雑にならない範囲で可能な限り凹凸の深さが深い領域を増やす工夫を行っている。こうすることで、グリップ部１０４のキズの発生を抑制し、かつ、軽快感のある意匠性を損なわないグリップ部１０４を実現することができる。
【００３６】
図６は正面側カバーユニット１２３をグリップ部１０４の側面側から見た側面図である。図７の（Ａ）、（Ｂ）および（Ｃ）はそれぞれ、図６に示す第２の付勢用凸部１５１に対するＥ−Ｅ線断面図、第３の付勢用凸部１５２に対するＤ−Ｄ線断面図、第１の付勢用凸部１５０に対するＣ−Ｃ線断面図である。
【００３７】
図７の（Ａ）に示すように、２色成形で形成されたグリップ部１０４の１次側の樹脂部材１３１のグリップ側面側には、光軸方向に沿って延設された第２の付勢用凸部１５１が設けられており、正面側カバー１０１に設けられた第２の付勢用凹部１４１に挿入される。
【００３８】
なお、この状態で第２の付勢用凸部１５１のカメラ本体１００の側面側の面１５１（ａ）は、第２の付勢用凹部１４１のカメラ本体１００の側面側の面１４１（ａ）に対して互いに対向して係合される。
【００３９】
つまり、２色成形で形成されたグリップ部１０４に前述した変形が生じた場合においても、正面側カバーユニット１２３の状態になるとその変形が抑制されることになる。
この状態で正面側カバーユニット１２３を本体シャーシ１２４に組立てた後、背面側カバー１０３を組立てる。その際、背面側カバー１０３がグリップ部１０４の先端部１７２および正面側カバー１０１の先端部１７３とぶつかって組立しづらい、または機器本体の外観に傷がつくという問題を防ぐことができる。
【００４０】
図７の（Ｂ）に示すように、２色成形で形成されたグリップ部１０４の１次側の樹脂部材１３１のグリップ側面側には、光軸方向に沿って延設された第３の付勢用凸部１５２が設けられており、正面側カバー１０１に設けられた第３の付勢用凹部１４２に挿入される。なお、第３の付勢用凹部１４２は貫通している。この状態で第３の付勢用凸部１５２のカメラ本体１００の側面側の面１５２（ａ）は、第３の付勢用凹部１４２のカメラ本体１００の側面側の面１４２（ａ）に対して互いに対向して係合される。つまり、２色成形で形成されたグリップ部１０４に前述した変形が生じた場合においても、正面側カバーユニット１２３の状態になるとその変形が抑制されることになる。
【００４１】
この状態で正面側カバーユニット１２３を本体シャーシ１２４に組立てた後、背面側カバー１０３を組立てる。その際、背面側カバー１０３がグリップ部１０４の先端部１７４および正面側カバー１０１の先端部１７５とぶつかって組立しづらい、または機器本体の外観に傷がつくという問題を防ぐことができる。
【００４２】
第３の付勢用凸部１５２が延設された端部および、正面側カバー１０１が延設された端部にはそれぞれビス穴１７０，１７１が設けられている。このため、背面側カバー１０３が組立てられた後、外装ビス１０６が不図示の背面側カバーに設けられたビス穴および、正面側カバー１０１に設けられたビス穴１７０、１７１を貫通して本体シャーシ１２４に対して締結される。
【００４３】
こうすることで、グリップ部１０４の変形を抑えつつ、本体シャーシ１２４に対してビスで締結することが可能になるため、グリップ部の剛性の向上、ホールド感の向上、さらに、不用意な軋み音の発生を防止することができる。
【００４４】
図７の（Ｃ）に示すように、２色成形で形成されたグリップ部１０４の角部には、１次側の樹脂部材１３１から光軸方向に沿って延設された第１の付勢用凸部１５０が設けられており、正面側カバー１０１に設けられた第１の付勢用凹部１４０に挿入される。なお、この状態で第１の付勢用凸部１５０のカメラ本体１００の側面側の面１５０（ａ）は、第１の付勢用凹部１４０のカメラ本体１００の側面側の面１４０（ａ）に対して互いに対向して係合される。つまり、２色成形で形成されたグリップ部１０４に前述した変形が生じた場合においても、正面側カバーユニット１２３の状態になるとその変形が抑制されることになる。
【００４５】
本実施例では特にグリップ部１０４の変形によって浮きあがりやすいグリップ部１０４の角部に本構成を設けることで、グリップ部１０４の角部が浮き上がる現象を抑制することが可能となるため、撮影者は違和感なくカメラ本体１００を把持することができる。
【００４６】
ここで、第１の付勢用凸部１５０、第２の付勢用凸部１５１は不用意な力が加わった際でも破損しないように厚さや幅、長さが設定されている。また、第１の付勢用凸部１５０および第２の付勢用凸部１５１がそれぞれ第１の付勢用凹部１４０および第２の付勢用凹部１４１に挿入される際に、挿入性を向上させるために、少なくともどちらか一方の角部にガイド用の面取りが施されている。
【００４７】
なお、本実施例において、正面側カバー１０１とグリップ部１０４の係止部を３か所設けているが、特に設置個所や設置場所を限定するものではなく、グリップ部１０４の変形を抑制できる場所であればどこに設置しても構わない。
【００４８】
また、本発明の構成は、上記実施形態に例示したものに限定されるものではなく、材質、形状、寸法、形態、数、配置箇所等は、本発明の要旨を逸脱しない範囲において適宜変更可能である。
【００４９】
例えば、上記実施形態では、電子機器として、レンズユニットが着脱可能なデジタル一眼レフカメラを例示したが、沈胴式レンズが内蔵されたコンパクトデジタルカメラや撮像装置以外の電子機器に本発明を適用してもよい。
【符号の説明】
【００５０】
１００  カメラ本体、１０１  正面側カバー、１０４  グリップ部、
１４０  第１の付勢用凹部、１４１  第２の付勢用凹部、
１４２  第３の付勢用凹部、１５０  第１の付勢用凸部、
１５１  第２の付勢用凸部、１５２  第３の付勢用凸部、
１８０  マウント部
【図１】
2018180312.tif 000003
【図２】
2018180312.tif 000004
【図３】
2018180312.tif 000005
【図４】
2018180312.tif 000006
【図５】
2018180312.tif 000007
【図６】
2018180312.tif 000008
【図７】
2018180312.tif 000009
【図８】
2018180312.tif 000010
【図９】
2018180312.tif 000011